(57)【特許請求の範囲】
【請求項１】
底部と周壁部と載置部材とを有する合成樹脂で一体成形された梱包用トレーにおいて、前記周壁部を構成する一方の相対する壁部には、それぞれ、少なくとも２個の載置部材が形成されているとともに、前記載置部材が形成されている前記一方の相対する壁部の領域には、前記載置部材の横幅と同じか、或いは、前記載置部材の横幅より幅広の凹部が形成されており、且つ、前記載置部材間に位置する前記一方の相対する壁部の下端の一部が、外側に張り出した形状に形成されていることを特徴とする梱包用トレー。
【請求項２】
底部が、該底部を下方に膨出させることにより形成された、床等に接触する接触領域と、該接触領域の周辺領域に形成された、床等に接触しない非接触領域とにより構成されていることを特徴とする請求項１に記載の梱包用トレー。
【発明の詳細な説明】
【０００１】
【発明の属する技術分野】
本発明は、冷蔵庫、洗濯機等の電気製品や空調機器や家具等の大型の物品を梱包する際に、物品の底部や頭部等に配置される梱包用トレーに関するものである。
【０００２】
【従来の技術】
従来、物品の底部が挿入可能な凹部を有するとともに、該凹部が、断面形状が略逆Ｕ字状で、下方が開放された周壁部材で囲まれた梱包用トレーが知られている（例えば、特開平９−５８７５１号公報、特開２００１−１５１２６６号公報等）。
【０００３】
【発明が解決しようとする課題】
上述した従来の梱包用トレーにおいては、衝撃が、梱包用トレーに横方向から加わった場合には、断面形状が略逆Ｕ字状で、下方が開放された周壁部材により、その衝撃が吸収され緩和されるが、輸送途中等に、梱包された物品が落下し、梱包用トレーの底部やコーナーに、大きな衝撃が加わった場合には、このような衝撃を、十分に吸収緩和することができず、梱包用トレーや梱包された物品が損傷するという問題があった。
【０００４】
本発明の目的は、上述した従来の梱包用トレーが有する課題を解決することにある。
【０００５】
【課題を解決するための手段】
本発明は、上述した目的を達成するために、底部と周壁部と載置部材とを有する合成樹脂で一体成形された梱包用トレーにおいて、第１には、前記周壁部を構成する一方の相対する壁部には、それぞれ、少なくとも２個の載置部材が形成されているとともに、前記載置部材が形成されている前記一方の相対する壁部の領域に、前記載置部材の横幅と同じか、或いは、前記載置部材の横幅より幅広の凹部を形成し、且つ、前記載置部材間に位置する前記一方の相対する壁部の下端の一部を、外側に張り出した形状に形成にしたものであり、第２には、底部を、該底部を下方に膨出させることにより形成された、床等に接触する接触領域と、該接触領域の周辺領域に形成された、床等に接触しない非接触領域とにより構成したものである。
【０００６】
【実施例】
以下に、本発明の実施例について説明するが、本発明の趣旨を越えない限り何ら、本実施例に限定されるものではない。
【０００７】
１は、平面形状が略長方形の底部であり、２は、底部１の周縁から、外側に、若干、傾斜した、相対する長壁部２ａと相対する短壁部２ｂとから形成された周壁部である。周壁部２の相対する長壁部２ａ及び短壁部２ｂには、適当数の載置部材３が形成されているおり、載置部材３は、周壁部２及び底部１を、部分的に、梱包用トレーの内部方向に膨出させることにより形成されており、従って、載置部材３の下方は、空間部として形成されている。
【０００８】
本実施例においては、上述した載置部材３が、相対する長壁部２ａに、それぞれ、２個ずつ形成されているが、３個以上形成することもできる。また、載置部材３が、相対する短壁部２ｂに、それぞれ、１個ずつ形成されているが、必要に応じて、短壁部２ｂへの載置部材３の形成を省略することもできるし、或いは、相対する短壁部２ｂに、それぞれ、２個以上の載置部材３を形成することもできる。載置部材３の数は、梱包用トレーの大きさ及び梱包される物品の大きさや重量等を、適時、考慮して決定することができる。
【０００９】
載置部材３は、周壁部２の上端部の近傍から略水平方向に延在する上部水平部３ａと、上部水平部３ａの先端から下方で、且つ、上部水平部３ａから遠ざかる方向に延在する傾斜部３ｂと、傾斜部３ｂの下端から略垂直に延在する移動規制壁部３ｃと、移動規制壁部３ｃの下端から水平方向に延在する載置部３ｄと、載置部３ｄの先端から下方に延在する略垂直な垂直部３ｅと、垂直部３ｅの下端から略水平方向に延在する下部水平部３ｆと、下部水平部３ｆの先端から底部１まで載置部材３を囲むように形成され、且つ、底部１方向に向かって、下部水平部３ｆから徐々に遠ざかるように傾斜しているスカート部３ｇと、長壁部２ａに略垂直で、且つ、下部水平部３ｆに連結された、相対する側壁部３ｈとにより構成されている。また、移動規制壁部３ｃと載置部３ｄとにより形成される隅部には、移動規制壁部３ｃに沿って、凹部３ｉが形成されており、このような凹部３ｉを形成することにより、載置部３ｄが、略角錐台状に形成されている。下部水平部３ｆは、少なくとも、載置部材３の周辺部を囲むように配設されており、本実施例においては、周壁部２まで延在している。
【００１０】
上述したように、載置部材３に、載置部材３を囲むように、下部水平部３ｆを形成し、垂直部３ｅと下部水平部３ｆとにより段部を形成したので、梱包用トレーに落下衝撃が加わった場合には、載置部材３が変形し易くなり、従って、載置部３ｄに載置された物品への衝撃を吸収緩和することができる。
【００１１】
また、上述したように、移動規制壁部３ｃと載置部３ｄとの隅部に凹部３ｉを形成することにより、略角錐台状に形成された載置部３ｄは、水平部３ｄ１と、水平部３ｄ１の４つの縁部から下方に延在する垂直部３ｅ、相対する側壁部３ｈ及び凹部３ｉ側の側壁３ｄ２とから形成されており、更に、水平部３ｄ１と、垂直部３ｅ、側壁部３ｈ及び凹部３ｉ側の側壁３ｄ２とにより形成される４つの角部には、アール部が形成されており、従って、載置部３ｄは、水平部３ｄ１を有する山状に形成されている。載置部３ｄを、このような水平部３ｄ１を有する山状に形成することにより、載置部３ｄに載置された物品に落下衝撃が加わった際に、上記の凹部３ｉが形成されていない場合や上記の４つの角部が角張って形成された場合に比べて、載置部３ｄが変形し易いので、載置部３ｄに載置された物品への衝撃を吸収緩和することができる。
【００１２】
更に、上述したように、載置部材３の下部には、底部１まで延在する載置部材３を囲むように形成され、且つ、底部１方向に向かって徐々に遠ざかるように傾斜しているスカート部３ｇが形成されているので、梱包用トレーに落下衝撃が加わった場合には、上記スカート部３ｇが変形し、載置部３ｄに載置された物品への衝撃を吸収緩和することができる。
【００１３】
長壁部２ａの載置部材３が配設されている領域には、載置部材３の横幅（長壁部２ａに略垂直な相対する側壁部３ｈの間隔）と同じか、それより若干、幅広の凹部４が形成されている。このような凹部４を形成することにより、物品が梱包された梱包用トレーの長壁部２ａに、落下等により衝撃が加わっても、物品が載置される載置部３ｄが形成されている載置部材３へ、直接、衝撃が加わることが防止できるので、物品への衝撃を緩和することができる。上記の凹部４は、必要に応じて、載置部材３が配設されている短壁部２ｂに形成することもできる。また、上述した凹部４には、梱包用トレーにより梱包された物品を緊諦する紐やバンド等の緊諦部材を挿入することができる。
【００１４】
また、載置部材３間に位置する長壁部２ａの中央領域２ａ’の下端（底部１との境界線）の一部が、外側に張り出した形状に形成されている。本実施例においては、中央領域２ａ’の下端の中央部２ａ１が外側に張り出しており、中央部２ａ１の両側に位置するサイド部２ａ２が、他の長壁部２ａ方向に向かって傾斜している。そして、長壁部２ａの中央領域２ａ’の上端２ａ３と、外側に張り出した中央部２ａ１及び傾斜したサイド部２ａ２とからなる下端は、屈曲壁２ａ”により連結されている。このような屈曲壁２ａ”を形成することにより、物品が梱包された梱包用トレーが落下等した際に、特に、衝撃が加わる確率が高く、しかも、変形し易い、長壁部２ａの中央領域２ａ’の強度や曲げ剛性が高まるので、載置部３ｄに載置されている物品への衝撃を緩和することができる。
【００１５】
底部１は、梱包用トレーが、平坦な床等に載置された際に、床等と接触する、底部１を下方に膨出させることにより形成された接触領域１ａと、接触領域１ａの周辺領域に形成された床等と接触しない非接触領域１ｂとの２段に形成されている。下方に膨出した接触領域１ａは、底部１の中央領域に位置する中央十字状凸部１ａ１と、底部１の４つの角部付近に位置する角部凸部１ａ２と、中央十字状凸部１ａ１と角部凸部１ａ２を連結する帯状の連結凸部１ａ３とから構成されている。底部１の中央領域に位置する中央十字状凸部１ａ１は、相対する長壁部２ａに形成されている載置部材３間に位置する長壁部２ａの中央領域２ａ’の略下方まで延在する、短壁部２ｂに沿った部分１ａ１’と、相対する短壁部２ｂに形成されている載置部材３の略下方まで延在する、長壁部２ａに沿った部分１ａ１”とにより形成されている。
【００１６】
上述したように、底部１を、接触領域１ａと非接触領域１ｂとの２段に形成することにより、物品が梱包された梱包用トレーが底部１から落下した際に、このような段差のない底部を有する従来の梱包用トレーに比べて、物品への衝撃を緩和することができる。また、底部１の４つの角部付近に角部凸部１ａ２を形成したことにより、梱包用トレーの角部からの落下による衝撃を吸収することができ、従って、物品への衝撃を緩和することができる。更に、底部１の中央領域に位置する中央十字状凸部１ａ１と底部１の４つの角部付近に位置する角部凸部１ａ２とを連結する帯状の連結凸部１ａ３を形成したことにより、物品が収容された梱包用トレーを、ローラーコンベヤーに載置し搬送する際に、比較的、小さな角部凸部１ａ２が  、ローラーコンベヤー間に落ち込んで、円滑な搬送が阻害されたり、或いは、物品が収容された梱包用トレーが傾斜するようなことを防止することができる。なお、梱包用トレーを、ローラーコンベヤーにより搬送しないような場合には、上記の帯状の連結凸部１ａ３を省略することもできる。
【００１７】
物品Ａを、上述した梱包用トレーを用いて梱包する際には、図４に示されているように、物品Ａを、垂直側壁部ａ１が、載置部材３の移動規制壁部３ｃに接触或いは接近するように、梱包用トレーの載置部材３の載置部３ｄに載置する。また、物品Ａの上部に、図示されてないカバーを載置するが、このカバーは、上述した構成を有する梱包用トレーでもよく、この場合には、梱包用トレーを逆さにして載置する。次いで、紐やバンド等の緊諦部材を、長壁部２ａに形成された凹部４等に挿入するようにして、緊諦部材により、梱包用トレー、物品Ａ及びカバーを、一緒に、緊諦する。このようにして、物品Ａを梱包した後に、梱包用トレー、物品Ａ及びカバーの全体を、熱収縮性フィルム等のフィルムで被覆する。勿論、梱包する前に、物品Ａのみを、熱収縮性フィルム等のフィルムで被覆し、梱包後のフィルムによる被覆を省略することもできる。上記のように、物品Ａを、垂直側壁部ａ１が、載置部材３の移動規制壁部３ｃに接触或いは接近するように配置することにより、物品Ａが、横方向に移動しようとしても、移動規制壁部３ｃに当接し、その移動が抑制されるので、安定した状態で、物品Ａを梱包し搬送することができる。
【００１８】
なお、上述した梱包用トレーは、射出成形やブロー成形や真空成形等により、合成樹脂で一体に成形されている。
【００１９】
【発明の効果】
本発明は、以上説明した構成を有しているので、以下に記載する効果を奏するものである。
【００２０】
載置部材の物品が載置される載置部の下方に、下部水平部を形成したので、載置部材が変形し易くなり、従って、載置部材に載置された物品への衝撃を吸収緩和することができる。
【００２１】
下部水平部の下方に、底部まで延在するスカート部を形成したので、梱包用トレーに落下衝撃が加わった場合には、スカート部が変形し、従って、載置部材に載置された物品への衝撃を吸収緩和することができる。
【００２２】
載置部材の物品が載置される載置部を、山状に形成したので、載置部が変形し易くなり、従って、載置部材に載置された物品への衝撃を吸収緩和することができる。
【図面の簡単な説明】
【図１】図１は本発明の梱包用トレーの斜視図である。
【図２】図２は本発明の梱包用トレーを構成する載置部材の拡大斜視図である。
【図３】図３は本発明の梱包用トレーの裏面斜視図である。
【図４】図４は本発明の梱包用トレーの短壁部に沿った垂直断面図である。
【符号の説明】
Ａ・・・・・・・・・・・・物品
１・・・・・・・・・・・・底部
２・・・・・・・・・・・・周壁部
３・・・・・・・・・・・・載置部材
３ｆ・・・・・・・・・・・下部水平部３ｆ
３ｇ・・・・・・・・・・・スカート部
【図１】
0003977660.tif 000002
【図２】
0003977660.tif 000003
【図３】
0003977660.tif 000004
【図４】
0003977660.tif 000005